【手続補正書】
【提出日】平成19年8月10日(2007.8.10)
【手続補正１】
【補正対象書類名】明細書
【補正対象項目名】００１１
【補正方法】変更
【補正の内容】
【００１１】
図１ないし図２２は本発明の一実施の形態に係わり、図１は電子内視鏡システムの構成を示す構成図、図２は図１の電子内視鏡の先端部の長手軸方向の断面を示す断面図、図３は図２の固体撮像装置の構成を示す構成図、図４は図１のモニタの表示画像上下左右方向を示す図、図５は図３の固体撮像装置の配置方向と電子内視鏡の先端部の湾曲動作方向及びモニタの表示方向の関連を示す図、図６は図２の信号線の基端側の構成を示す図、図７は図２のＡ−Ａ線断面を示す断面図、図８は図２の複数の電子部品により構成される表示方向選択手段の電子内視鏡システム上の配置を示す図、図９は図２の複数の電子部品により構成される表示方向選択手段の電子内視鏡システム上の配置の変形例を示す図、図１０は図２の回路基板の第１の変形例を示す図、図１１は図１のビデオプロセッサにブレ補正処理機能を備えた際の作用を説明する図、図１２は図２の固体撮像装置の第１の変形例を示す図、図１３は図２の回路基板の第２の変形例を示す第１の図、図１４は図２の回路基板の第２の変形例を示す第２の図、図１５は図２の回路基板の第３の変形例を示す図、図１６は図２の回路基板の第４の変形例を示す図、図１７は図２の回路基板の第５の変形例を示す図、図１８は図２の固体撮像装置の第２の変形例を示す図、図１９は図２の固体撮像装置の第３の変形例を示す図、図２０は図２の固体撮像装置の第４の変形例を示す図、図２１は図２の固体撮像装置の第５の変形例を示す図、図２２は図２の固体撮像装置の第６の変形例を示す図である。
【手続補正２】
【補正対象書類名】明細書
【補正対象項目名】００２２
【補正方法】変更
【補正の内容】
【００２２】
固体撮像装置３７は、図３に示すように、カバーガラス３８と、固体撮像素子３９と、外部リード４０から構成されており、カバーガラス３８は固体撮像素子３９の受光部２０を覆うように紫外線硬化型接着剤にて接着固定されている。この固体撮像素子３９の側面(左右方向)に配置される外部リード４０は、ポリイミドテープ４１（図２参照）上に銅箔により配線が形成されたフレキシブル基板であり、ポリイミドテープ４１より延出するインナーリード４２は受光部２０の左右に形成されたボンディングパッド６９に金等のボールバンプを介して接続されている（ボールボンディング）。そして、この固体撮像装置３７の走査方向は、垂直方向は下から上へ、水平方向は左から右へと走査される。
【手続補正３】
【補正対象書類名】明細書
【補正対象項目名】００３３
【補正方法】変更
【補正の内容】
【００３３】
このように本実施の形態では、図８に示すように、９０°時計周り方向に回転させて配置した固体撮像装置３７の取り込み画像を、撮像装置１８内に設けた複数の電子部品４４より構成される表示方向選択手段４４ａにて反時計方向へ９０°回転させることで、モニタ６の表示画像上下左右方向と、先端部１７の上下左右方向とを一致させることができるので電子内視鏡を操作しやすくなる。
【手続補正４】
【補正対象書類名】明細書
【補正対象項目名】００３４
【補正方法】変更
【補正の内容】
【００３４】
また、図７に示すように、固体撮像装置３７を９０°回転させて縦置きできたため、回転させられない破線で示す撮像装置を配置するよりも先端部１７を細径化することができるとともに、修理等で撮像装置を交換しても、その表示方向選択手段４４ａが撮像装置１８内にあるので、確実に正常な画像をモニタ表示することができる。
【手続補正５】
【補正対象書類名】明細書
【補正対象項目名】００３９
【補正方法】変更
【補正の内容】
【００３９】
また、電子内視鏡システム１では、図１１のように固体撮像装置７２に取り込んだ画像が受光部上でＡ程度ブレた場合、固体撮像装置７２の受光部内ブレ補正処理領域７５を用いて、Ａ程度ずらした受光画像をビデオプロセッサ５へ伝送し、モニタ表示することができる。また、ビデオプロセッサ５にブレ補正領域７５の画像データを用いてブレ補正処理するための図示しない映像処理回路を設けて、モニタ表示しても良い。
【手続補正６】
【補正対象書類名】明細書
【補正対象項目名】００４０
【補正方法】変更
【補正の内容】
【００４０】
これにより、先端部が小刻みに揺れ動いたとしてもブレない観察画像を得ることができる。特に、体内の微少な拍動により観察画像にブレが発生しやすい拡大観察時には有効であり、拡大観察への切替と連動でブレ補正を行うと効果的である。
【手続補正７】
【補正対象書類名】明細書
【補正対象項目名】００４３
【補正方法】変更
【補正の内容】
【００４３】
図１３は回路基板７９の上面図である。この回路基板７９の基端側には信号線４６を取付けるための複数の取付けランド８６が形成されており、取付けランド８６の基端側には取付けランド８６をマスキングする、例えば、絶縁テープ等からなるマスキング部材８７が取付けられている。
【手続補正８】
【補正対象書類名】明細書
【補正対象項目名】００５７
【補正方法】変更
【補正の内容】
【００５７】
図２２に示す固体撮像装置１１４は、複数の、例えば４つの出力ライン１１８を有するものであり、その出力ラインは受光部片側の側方を通って固体撮像装置１１４上部側へ形成されたボンディングパッド１１５へと導かれ、フレキシブル回路基板１１６へと接続されている。
【手続補正９】
【補正対象書類名】明細書
【補正対象項目名】図面の簡単な説明
【補正方法】変更
【補正の内容】
【図面の簡単な説明】
【図１】
本発明の一実施の形態に係る電子内視鏡システムの構成を示す構成図
【図２】
図１の電子内視鏡の先端部の長手軸方向の断面を示す断面図
【図３】
図２の固体撮像装置の構成を示す構成図
【図４】
図１のモニタの表示画像上下左右方向を示す図
【図５】
図３の固体撮像装置の配置方向と電子内視鏡の先端部の湾曲動作方向及びモニタの表示方向の関連を示す図
【図６】
図２の信号線の基端側の構成を示す図
【図７】
図２のＡ−Ａ線断面を示す断面図
【図８】
図２の複数の電子部品により構成される表示方向選択手段の電子内視鏡システム上の配置を示す図
【図９】
図２の複数の電子部品により構成される表示方向選択手段の電子内視鏡システム上の配置の変形例を示す図
【図１０】
図２の回路基板の第１の変形例を示す図
【図１１】
図１のビデオプロセッサにブレ補正処理機能を備えた際の作用を説明する図
【図１２】
図２の固体撮像装置の第１の変形例を示す図
【図１３】
図２の回路基板の第２の変形例を示す第１の図
【図１４】
図２の回路基板の第２の変形例を示す第２の図
【図１５】
図２の回路基板の第３の変形例を示す図
【図１６】
図２の回路基板の第４の変形例を示す図
【図１７】
図２の回路基板の第５の変形例を示す図
【図１８】
図２の固体撮像装置の第２の変形例を示す図
【図１９】
図２の固体撮像装置の第３の変形例を示す図
【図２０】
図２の固体撮像装置の第４の変形例を示す図
【図２１】
図２の固体撮像装置の第５の変形例を示す図
【図２２】
図２の固体撮像装置の第６の変形例を示す図
【図２３】
被写体の上下左右とモニタ表示上の上下左右との関係を説明する図
【符号の説明】
１…電子内視鏡システム
２…電子内視鏡
３…光源装置
５…ビデオプロセッサ
６…モニタ
３７…固体撮像装置
３８…カバーガラス
３９…固体撮像素子
４０…外部リード
４４…電子部品
４４ａ…表示方向選択手段
４５…回路基板
４６…信号線